(57)【要約】      （修正有）【課題】簡単な構造で取り付けが容易であると共に、伝え歩きや寄りかかって歩行する場合に痺れ等が生じない手摺りを提供する。【解決手段】(a)  壁面３ａに沿って配設された手摺基部７と、前記手摺基部７の全長にわたって手摺基部７からその上面が手摺基部７と同面にて歩行者側に突出していて歩行者を支持するための握り部８と、前記手摺基部７の上・下部面の壁側端部に突設され、手摺基部７を壁面３ａに固定するための上・下部固定部１１、１２とで構成された手摺り本体１、並びに(b)  手摺基部７の上・下部面の壁側端部から壁面３ａにかけて配設され、上・下部固定部１１、１２を外から被覆する被覆カバー２、２とで構成された。【選択図】図１
2005307449.tif 000002
【特許請求の範囲】
【請求項１】
(a)  壁面に沿って配設された手摺基部と、前記手摺基部の全長にわたって手摺基部からその上面が手摺基部と同面にて歩行者側に突出していて歩行者を支持するための握り部と、前記手摺基部の上・下部面の壁側端部に突設され、手摺基部を壁面に固定するための上・下部固定部とで構成された手摺り本体、並びに
(b)  手摺基部の上・下部面の壁側端部から壁面にかけて配設され、上・下部固定部を外から被覆する被覆カバーとで構成されたことを特徴とする手摺り。
【請求項２】
請求項１の被覆カバーが、手摺基部側に取り付けられる挿入片と、壁側に取り付けられる当接片と、前記挿入片と当接片との間にて設けられ、前記挿入片と当接片の外表面に対して傾斜して設けられた傾斜部とで構成されたことを特徴とする手摺り。
【請求項３】
手摺基部の下面或いは握り部の下面又は手摺基部から握り部にかけての下面の少なくともいずれかに照明部を設けたことを特徴とする請求項１又は２記載の手摺り。
【請求項４】
手摺基部の上・下部面に上・下部固定部に沿って被覆カバーの挿入片或いは当接片が挿入される凹溝が形成されており、且つ、挿入片の長さに対して当接片の長さが長く形成され、
挿入片を凹溝に挿入したとき、当接片が壁面に当接するように凹溝の位置が形成されていることを特徴とする請求項１から３のいずれかに記載の手摺り。
【発明の詳細な説明】
【技術分野】
【０００１】
本発明は、肘や手のひらを使用した伝え歩きや、立上がり時の補助具とするための手摺りに関するものである。
【背景技術】
【０００２】
従来から屋内での移動を容易にするために階段や廊下の壁面に手摺りが設けられているが、一般的には壁面に設けられた金具にバーを架け渡したもので、壁面とバーとの間に隙間があった。このような手摺りでは、高齢者や病人或いは足腰の弱い歩行者がこれにつかまって伝え歩きや寄りかかって歩行したとき隙間に腕が入り込んでしまい、危険であるし非常に使いにくいという問題があった。そこで最近では高齢者や病人或いは足腰の弱い歩行者が、屋内での移動を容易にするために伝え歩きや寄りかかって歩行するのが可能な手摺りや手摺り付き腰壁パネルとして壁面に密着して設置されるタイプの手摺りが開発されている。このような壁面に密着して設置されるタイプの手摺りは、前述のようにバーと壁面との間に隙間がなく、手摺りの上面全体に寄りかかることができるため、伝え歩きや寄りかかって歩行に最適であるだけでなく、手摺りから壁面まで連続しているため、壁面との一体感が得られ易く、壁面と手摺りとの外観を意匠的に統一したい場合や、手摺りが壁面から大きく突出しないために建物内が狭い場合に使用されている。
【０００３】
図９はこのような手摺り付き腰壁パネルの手摺りＢの一例を示したもので、長尺の手摺りＢの壁側上面に突設された取付突条３７には、壁面３ａに手摺りＢを固定するための取付孔３８が所定ピッチで形成され、手摺りＢの上部を壁面３ａに固定した固定部材３９の頭部を隠すために化粧キャップ４０が取付孔３８内に取り付けられている。４１は手摺りＢの中央に設けられた取付穴４２に挿入され、この部分を壁面３ａに取り付けた他の固定部材である。又、手摺りＢの下部に設けられた略Ｖ字状溝３４に腰壁パネル３５の略Ｖ字状端面が嵌合・固定されている［特許文献１；特許第３３２７００５号］。
【０００４】
しかしながら前述のように寄りかかって歩行することが可能な従来の手摺りＢは、伝え歩きする歩行者にも使用が容易となるように、歩行者の下腕部を支持する手摺りＢの平坦な上面３１の端部に全長に亘って前記上面３１より上方に突出する握り部３６を有している。それ故、手摺りＢに寄りかかって歩行する際に下腕部を手摺りＢの平坦な上面３１に乗せて体を支持すると、上方に突出した握り部２６が下腕部に当たり、この部分に部分的に荷重がかかり下腕部に痺れ等を生じさせることがある。
【０００５】
また、この手摺りＢでは、壁面３ａを固定する取付突条３７の固定部材３９の頭部は化粧キャップ４０で覆っているが、手摺りＢとの連続性や統一性のないものが多く全体の意匠性が悪い。また、腰壁パネル３５を使用する場合には、腰壁パネル３５の固定は予め加工された手摺りＢの略Ｖ字状溝３４を用いて固定するが、腰壁パネル３５は前記略Ｖ字状溝３４の大きさや形状に合うものでなければならず、必然的に腰壁パネル３５の選択枝は限られることになり、性能や意匠性等に応じた腰壁パネル３５の選定余地が小さい。
【０００６】
そのため好みの腰壁パネル３５にリフォームしたい場合や、車椅子での使用等で傷付いた腰壁パネル３５を交換する場合、手摺りＢやクロス等壁全体を取り替えなくてはならず、工事が大掛かりになるだけでなく、加えて手摺りＢ側でも腰壁パネル３５を取り付ける場合と取り付けない場合の２種類の手摺りが必要となり生産性が悪く且つ在庫管理も紛らわしく、商品の注文や施工時の間違いも生じやすい。
【０００７】
更に下部に腰壁挿入用の溝加工のない手摺り(図示せず)に腰壁パネルを取り付ける場合、壁パネルはその端面を手摺りの下面に突き当てるだけなので、突き当て部分が外部から見え、仕上りが悪いものとなる。
【特許文献１】特許第３３２７００５号
【発明の開示】
【発明が解決しようとする課題】
【０００８】
本発明はかかる従来技術の問題点を解決しようとするもので、その第１は高齢者や足腰の弱い歩行者が手摺りに寄りかかって下腕部で体重を支持としても痺れ等が生じることがないようにすることであり、第２に被覆カバーにより手摺りと壁面の連続性が得られるようにして壁面のデザイン性を向上させ見ることができるようにすることにある。付加的には、被覆カバーを工夫することにより手摺りの使用者に安心感を与えるようにすること、暗所や夜間における利便性の向上を図ること、多様性を有する壁面に１種類の被覆カバーで対応ができるようにすることなどが挙げられる。
【課題を解決するための手段】
【０００９】
上記課題を解決するために請求項1の発明(手摺りＡ)は、
(a)  壁面３ａに沿って配設された手摺基部７と、前記手摺基部７の全長にわたって手摺基部７からその上面が手摺基部７と同面にて歩行者側に突出していて歩行者を支持するための握り部８と、前記手摺基部７の上・下部面の壁側端部に突設され、手摺基部７を壁面３ａに固定するための上・下部固定部１１、１２とで構成された手摺り本体１、並びに
(b)  手摺基部７の上・下部面の壁側端部から壁面３ａにかけて配設され、上・下部固定部１１、１２を外から被覆する被覆カバー２、２とで構成されたことを特徴とする。
【００１０】
請求項２の発明は被覆カバー２に関するもので、「被覆カバー２が、手摺基部７側に取り付けられる挿入片２２と、壁３側に取り付けられる当接片２１と、前記挿入片２２と当接片２１との間にて設けられ、前記挿入片２２と当接片２１の外表面に対して傾斜して設けられた傾斜部２３とで構成された」ことを特徴とする。
【００１１】
請求項３の発明は照明部４に関するもので、「手摺基部７の下面或いは握り部８の下面又は手摺基部７から握り部８にかけての下面の少なくともいずれかに照明部４を設けた」ことを特徴とする。
【００１２】
請求項４の発明は被覆カバー２の更なる変形例に関するもので、「手摺基部７の上・下部面に上・下部固定部１１、１２に沿って被覆カバー２の挿入片２２或いは当接片２１が挿入される凹溝１３、１４が形成されており、且つ、挿入片２２の幅Ｈ２に対して当接片２１の幅Ｈ１が長く形成され、
挿入片２２を凹溝１３又は１４に挿入したとき、当接片２１が壁面３ａに当接するように凹溝１３及び１４の位置が形成されている」ことを特徴とする。
【発明の効果】
【００１３】
請求項１記載の発明は、手摺基部７から握り部８に至る手摺り本体１の上面が平坦面(この面が手当たり面９で、使用者が肘を置いたり手をつく場所である。)に形成されており、従来のように上方に突出した握り部３６がないので、高齢者や足腰の弱い歩行者が手摺基部７に寄りかかって下腕部で体重を支持する場合でも下腕部全体に荷重が加わって下腕部の局部的に荷重がかかることがなく、それ故、下腕部に痺れ等が生じることがない。
【００１４】
また、被覆カバー２を用いているので、上・下部固定部１１、１２と壁面３ａとの取り合い部分が被覆カバー２にて被覆されることになり、その結果、従来のように固定金具３９の頭部にいちいち化粧キャップ４０等を取り付ける必要がなくなり、施工が容易となるだけでなく手摺りＡと壁面３ａの連続性が得られ、意匠性が向上する。
【００１５】
そして請求項２の発明によれば、被覆カバー２が傾斜部２３を有するので、突出した角部がなくなり、違和感がなくなり手摺りＡを使用している者に安心感を与えることができる。
【００１６】
さらに請求項３記載の発明は、手摺り本体１の下面に照明部４を設けることで直接目に光が入ることがなく、足元が明るいので暗所や夜間でも障害物の有無が容易に識別出来るので、たとえば廊下や階段あるいは室内等の手摺り設置個所における歩行がスムースに行える。
【００１７】
請求項４記載の発明によれば、被覆カバー２の当接片２１と挿入片２２とを逆に入れ替えるだけで壁面３ａに化粧板６を張着する場合と化粧板６を張着しない場合、すなわち壁面３ａの多様性に対して柔軟に対応することができ、被覆カバー２の点数を減らすことができる。この点は後ほど詳しく説明する。
【発明を実施するための最良の形態】
【００１８】
以下、本発明の実施の態様を図面を基に説明する。本発明の手摺りＡは、長尺の手摺り本体１と手摺り本体１と同一長さを有する長尺の被覆カバー２とからなる。手摺り本体１及び被覆カバー２の材質は特に限定されるものでないが、例えば挽材、合板、中質繊維板（ＭＤＦ）、パーチィクルボード、ＯＳＢ(オリエンテッド・ストランドボード)、集成板、単板積層材、無機質含浸木質材等の木質材の他、金属製又は合成樹脂製のものでも良く或いはこれらの組み合わせであっても良い。また、これらの表面の一部あるいは全面に化粧紙、化粧樹脂含浸紙、合成樹脂シート、化粧単板、突板その他の化粧材が設けられたり、更に着色や透明塗装、柄模様印刷等が施されることもある。
【００１９】
図１に示す手摺り本体１は、壁３の室内側の壁面３ａに沿って配設される手摺基部７と、手摺基部７から歩行者側に一体的に突出している握り部８と、手摺基部７の上・下部面の壁側端部に突設され、手摺基部７を壁面３ａに固定するための上・下部固定部１１、１２とで構成された長尺の部材である。そして、手摺基部７と握り部８の上面は全長にわたって同面に形成されており、この手摺基部７と握り部８を含む平坦な上面が手摺りＡを利用する者の下腕部を支持するための手当たり面９である。そして、握り部８は前記手摺基部７より厚みが小で手のひらで握り易い厚みに形成されている。また、手摺基部７の厚みは握り部８の厚みより大きく、下方に膨出し且つ手摺基部７の歩行者の面は握り部８の下面から下側の凹溝１４に向かって下り傾斜に形成されている。この部分が傾斜下面１０とする。
【００２０】
また、前記上・下部固定部１１、１２は手摺基部７の上・下部面の壁側端部に手摺基部７の全長に亘って突設されており、図１に示す手摺り本体１の上・下部固定部１１、１２の釘打ち面１１ａ、１２aは手摺基部７の壁面３ａに対する当接面１５と平行に形成されている。更に手摺基部７の上・下部面には被覆カバー２の挿入片２２が嵌合される凹溝１３、１４が前記上・下部固定部１１、１２と平行に設けられている。
【００２１】
被覆カバー２[図２(a)]は挿入片２２と当接片２１とで形成された断面Ｌ状の長尺もので、手摺り本体１と同等の長さを有するように連続した長尺物で、挿入片２２は前記凹溝１３、１４にほぼ隙間なく嵌り込む厚みを有している。挿入片２２と当接片２１とは同じ幅(Ｈ１=Ｈ２)を有していてもよいが、後述するように挿入片２２と当接片２１とは異なる幅のものでもよい。ここでは異なる幅の場合を例にとって説明する。
【００２２】
挿入片２２と当接片２１とが異なる幅の場合、図６に示すように、壁面３ａに化粧板６を張着する場合と、張着しない場合にひとつの被覆カバー２で対応ができるようにすることを狙っており、当接片２１の幅Ｈ１は挿入片２２の幅Ｈ２に化粧板６の厚みＷを加えた大きさとなっている。そして凹溝１３、１４の壁面３ａまでの距離Ｓ１は当接片２１の幅Ｈ１と等しくなるように形成されている。これにより、図６の手摺りＡより上の壁面３ａに示すように、化粧板６が張着されていない場合、挿入片２２を上側の凹溝１３に嵌め込んだ時、当接片２１の先端が壁面３ａに当接するようになり、図６の手摺りＡより下の壁面３ａに示すように、化粧板６が張着されていいる場合、当接片２１を下側の凹溝１４に嵌め込んだ時、挿入片２２の先端が化粧板６に当接するようになる。すなわち、化粧板６の有無の場合、被覆カバー２を反転させて用いることでいずれの場合にも対応することができるようになる。
【００２３】
しかして、手摺り本体１を壁面３ａに当てがい、上部固定部１１、下部固定部１２を用いて壁面３ａの裏に配設されている横桟３０に釘のような固定具２９により手摺り本体１を壁面３ａに固定した後、図１の場合、手摺基部７の上・下部面に設けられた凹溝１３、１４に被覆カバー２の挿入片２２を挿入嵌合し、当接片２１を壁面３ａに当接させる。このとき、上・下部固定部１１、１２の上・下部面が適当な高さにあれば当接片２１の下面をそれぞれ当接させ、２点支持となるようにする。このようにすれば、前述のように固定金具５の頭部をいちいち化粧キャップ４０等で埋める必要がなくなる。なお、挿入片２２と凹溝１３、１４及び/又は当接片２１と上・下部固定部１１、１２の当接部分を必要に応じて接着してもよい。
【００２４】
また、被覆カバー２の断面は図２(a)に示すように当接片２１および挿入片２２からなるＬ状に限らず、図２(b)に示すように、この被覆カバー２が手摺り本体1の上・下部固定部１１、１２を被覆する当接片２１と挿入片２２の間の部分を傾斜部２３にしたものでもよい。この場合も当接片２１と挿入片２２の幅Ｈ１、Ｈ２の関係は図２(a)と同じである。また、これに限られず半円形、半楕円形、あるいは半多角形状でも良い。
【００２５】
図３は図１の手摺り本体１に図２(b)の被覆カバー２を取着した例であり、傾斜部２３の存在により、手や肘が被覆カバー２に接触しても手や肘を痛めることがないだけでなく、角がとがっていないので、見た目に安心感を与えることができる。
【００２６】
図３は手摺り本体1の上・下部固定部１１、１２の釘打ち面１１a、１２ａを外に開いた傾斜面に形成したもので、釘やねじのような固定金具５を打ち付けるときにハンマーやドライバ等の工具が外側から釘打ち面１１ａ、１２ａに向かって打ち込めるため手摺基部７に接触せず、手摺り本体１の固定作業が容易になる。
【００２７】
図４は手摺り本体１の上部固定部１１の釘打ち面11aを外に開いた傾斜面に、下部固定部１２の釘打ち面12aを当接面１５と平行にしたもので、釘打ち面11aは固定金具５を斜め下方向に、釘打ち面12aは水平に、壁面３ａに対して打ち込めばよいので手摺り本体１の固定作業がより容易になる。
【００２８】
また、図４の仮想線は図１の変形で、同面に形成された手摺基部７と握り部８との間に凹状溝１７を設けた例で、凹状溝１７内に指先が入り込むため握り部８の使い勝手が良くなるものである。そして被覆カバー２を用いて上・下部固定部１１、１２と壁面３ａとの取り付け部分を被覆すれば、被覆カバー２を介して手摺り本体１と壁面３ａが連続するようになり、手摺りＡから壁面３ａにかけての意匠性が向上するだけでなく、従来のように固定金具３９の頭部にいちいち化粧キャップ４０等を取り付ける必要がなくなり、施工が容易となる。上下共同一の被覆カバー２を用いれば、部材点数が少なくなる利点もある。なお、被覆カバー２は少なくとも歩行者の目に付く上部被覆カバー２ａを採用するだけでも足る。
【００２９】
図５は手摺り本体１の握り部８より壁面３ａ側の下面、すなわち手摺基部の下面或いは握り部の下面又は手摺基部から握り部にかけての下面の少なくともいずれかに照明部４を設けたものである。本実施例では手摺基部の歩行者側に向かう傾斜下面に設けられている。この照明部４は手摺り本体１の前記下面に長手方向に連続して設けても良く、又、点在して設けていても良く、歩行者の利用範囲を連続的に照明できれば良いものである。前者の場合、光源として蛍光灯のような線状光源が用いられ、後者にあっては白熱灯のような点光源が用いられる。
【００３０】
図６は、手摺り本体１の下の壁面３ａに化粧板６からなる腰壁パネルを設けたものである。この場合、化粧板６の厚さＷだけ化粧板なしの場合(壁面３ａと凹溝１３との距離をＳ１で示す。)に比べて化粧板６の表面と凹溝１４との間隔Ｓ２が狭くなるので、前述のように被覆カバーの挿入片２２と当接片２１とは異なる長さのものを使用しておけば、下側の凹溝１４への挿入側を逆にして当接片２１を凹溝１４に挿入すれば、当接片２１より短い挿入片２２が化粧板６の表面にぴったりと当接することになる。このようにしておけば、ひとつの被覆カバー２で化粧板なしの場合と、化粧板ありの２通りに対応することができる。その結果、化粧板あり・なしに拘わらず手摺りの種類を増やす必要がないので、在庫管理や生産性も良く、商品の注文や施工時の間違いも生じることもなくなる。上記のことは当然手摺基部の上側の壁面に化粧板を張り付ける場合でも言えることである(図７)。このようにすれば、手摺り本体１の上下に異なる意匠の化粧板６を用いた例で、さらに壁面デザインの選択巾が向上する。
【００３１】
また、化粧版６の厚みによっては、挿入片２２の端部をカットして挿入片２２の幅を調節することにより、化粧板６の形状や厚みが限定されないので、様々な性能で意匠の化粧版６を選ぶことが出来る。
【００３２】
また、このように被覆カバーを利用することで、リフォームで化粧板６を別の模様や色彩のものに変更したり、車椅子での使用で傷ついた化粧板６からなる腰壁パネルを交換する場合でも、被覆カバー２のみを外すことで、手摺り本体１を外すことなく取り替え出きるので、従来例の様に壁全体を取り替えることなく工事が出来る利点がある。
【図面の簡単な説明】
【００３３】
【図１】本発明にかかる手摺り本体と被覆カバーとを壁面に取り付けた一例を示す断面図である。
【図２】被覆カバーの実施例である。
【図３】本発明にかかる手摺り本体と傾斜部を有する被覆カバーとを壁面に取り付けた一実施例を示す断面図である。
【図４】図１にかかる手摺り本体の上・下部固定部の釘打ち面を傾斜面とし、傾斜部を有する被覆カバーを用いた断面図である。
【図５】手摺り本体の下面に照明部を設けた一実施例を示す断面図である。
【図６】手摺り本体の下方の壁面に化粧板を配した場合の断面図を示すものである。
【図７】手摺り本体の上下方の壁面に化粧板を配した場合の断面図を示すものである。
【図８】図６の斜視図である。
【図９】公知の手摺りを示す断面図である。
【符号の説明】
【００３４】
Ａ；手摺り
１；手摺り本体
２；被覆カバー
３；壁
３ａ；壁面
４；照明部
５；固定金具
６；化粧板
７；手摺基部
８；握り部
９；手当たり面
１０；傾斜下面
１１；上部固定部
１２；下部固定部
１３；凹溝
１４；凹溝
２１；当接片
２２；挿入片
２３；傾斜部
【図１】
2005307449.tif 000003
【図２】
2005307449.tif 000004
【図３】
2005307449.tif 000005
【図４】
2005307449.tif 000006
【図５】
2005307449.tif 000007
【図６】
2005307449.tif 000008
【図７】
2005307449.tif 000009
【図８】
2005307449.tif 000010
【図９】
2005307449.tif 000011